(57)【要約】      （修正有）【課題】除雪作業時における排雪手順を作業性よく容易に行うことができ、排雪時の労力を軽減できる、便利で実用性に優れた除雪用ダンプを提供する。【解決手段】除雪用ダンプ１０は、基部１と、基部１に前端部が枢支されたバケット２と、レバー４を枢支するために基部１に設けられたレバー枢支部３と、レバー枢支部３に枢支されたレバー４と、バケット２に設けられた揺動端部５と、レバー４の前端部−揺動端部５間を連結するリンク６とを備えた構成とする。また、レバー４操作時に揺動端部５に対するリンク６の揺動を抑止可能なストッパ８がバケット２に設けられている。【選択図】図１
2014015775.tif 000002
【特許請求の範囲】
【請求項１】
基部と、該基部に前端部が枢支されたバケットと、後記レバーを枢支するために該基部に設けられたレバー枢支部と、該レバー枢支部に枢支されたレバーと、該バケットに設けられた揺動端部と、該レバーの前端部−該揺動端部間を連結するリンクとを備えてなる、除雪用ダンプ。
【請求項２】
前記レバー操作時に、前記揺動端部に対する前記リンクの揺動を少なくとも一部範囲において抑止可能なストッパが前記バケットに設けられていることを特徴とする、請求項１に記載の除雪用ダンプ。
【請求項３】
前記基部は雪上を滑走可能な滑走体であることを特徴とする、請求項１または２に記載の除雪用ダンプ。
【請求項４】
前記滑走体は前記バケットの両側に枢支された一対の棒状滑走体であることを特徴とする、請求項３に記載の除雪用ダンプ。
【請求項５】
前記滑走体は前記バケットの両側に枢支された一対の板状滑走体であることを特徴とする、請求項３に記載の除雪用ダンプ。
【請求項６】
前記揺動端部は、前記バケット上縁の前端から７５％長の位置またはそれよりも後端側において、該バケットの側面に設けられていることを特徴とする、請求項１ないし５のいずれかに記載の除雪用ダンプ。
【請求項７】
前記基部は前記バケット底部の長さ以上の長さに形成されており、前記レバー枢支部は該バケット底部の前端から８０％長の位置またはそれよりも後端側に設けられていることを特徴とする、請求項１ないし６のいずれかに記載の除雪用ダンプ。
【請求項８】
前記リンクまたはレバーの少なくとも一方が弧状に形成されていることを特徴とする、請求項１ないし７のいずれかに記載の除雪用ダンプ。
【請求項９】
前記基部は前記レバー枢支部設置箇所より後方に延長した延長部をもって形成されており、これにより、前記レバー操作の際の該基部前端部の持ち上がりを規制可能であることを特徴とする、請求項１ないし８のいずれかに記載の除雪用ダンプ。
【請求項１０】
前記レバー枢支部は前記基部の上方に位置して設けられていることを特徴とする、請求項１ないし９のいずれかに記載の除雪用ダンプ。
【請求項１１】
前記延長部は回動可能な屈曲部を有しており、該屈曲部を回動させることで前記レバーの下端部に当接し、これにより該レバーの押し下げを抑止可能であることを特徴とする、請求項９に記載の除雪用ダンプ。
【請求項１２】
両側に設けられた各前記延長部の後端同士は連結部により連結されていることを特徴とする、請求項９または１１に記載の除雪用ダンプ。
【発明の詳細な説明】
【技術分野】
【０００１】
本発明は除雪用ダンプに係り、特に、除雪作業時における排雪手順を容易に行うことのできる、便利な除雪用ダンプに関する。
【背景技術】
【０００２】
除雪用ダンプについては従来、種々の技術的提案がなされている。その多くは、ダンプのパケットに雪を掬い集めた後の排雪作業の労力を軽減するためのものである。たとえば後掲特許文献１には、車輪付の除雪ダンプとして車輪接地箇所に設けた支軸を支点としてリンクによりバケットを上方に押し上げる構成が開示されている。
【０００３】
また特許文献２には、バケットを上方に押し上げる構成として、駆動機と、これにより伸縮駆動される伸縮機構を備えた除雪ダンプが開示されている。また特許文献３には、持ち手を押し下げることによってバケット底面の角度を保持したままで一旦上方に移動させてから手前側に下ろして運搬姿勢とし、排雪時には持ち手を持ち上げてバケット底面を立てて排雪する構成の除雪ダンプが開示されている。
【先行技術文献】
【特許文献】
【０００４】
【特許文献１】実開昭６２−１１４９１８号公報「雪捨車」
【特許文献２】実開平０１−１６７４１６号公報「雪掻具」
【特許文献３】特開平１０−２３７８３５号公報「スノーダンプ（登録商標）」
【発明の概要】
【発明が解決しようとする課題】
【０００５】
しかし、特許文献１開示技術には次のようにさまざまな欠点、問題点がある。
１）車輪により移動が困難となること
車輪によって移動する手段の雪捨て車だが、移動路面に積雪がある時には車輪には逆に抵抗が増大する。しかも移動の際はバケット前部を持ち上げる必要があるため、重量がバケット底部および車輪に集中し、これにより摩擦抵抗が増大するため、積雪のある路面における本雪捨車の移動は困難、ないしは不可能となる。
【０００６】
２）バケット底部の傾斜
車輪および支軸より上部の車枠上にバケットを備える構成のため、雪掻き（雪掬い）時におけるバケットに底部は地面に対して常に傾斜した状態とならざるを得ず、これではせっかく積んだ雪が零れ落ちてしまう。雪の積載量に限界があり、作業効率が悪い。それを防ぐためには持ち手をある程度押し下げた状態としなくてはならないが、重労働となるのみならず、前後バランスをとるのも困難となり、作業性が悪い。
【０００７】
３）バケットの不安定性
車輪およびバケットの先端部のみで接地する構造のため、スコップで雪をバケットに積み込む場合に、バケット後部に雪を積み込むとバランスを崩してバケット後部が不意に下がり、持ち手により作業者が打撲される危険性がある。
【０００８】
４）リンクの機能不全
図示された雪捨車のリンク構造では、ベルクランク基端部の押し下げ動作によりバケットの後部を前方に向かって斜め上方に押し上げる作用を実現できない。それとは全く逆の動作、つまりバケット先端部が上方に持ち上がり、バケット後端部が下がってしまうことになる。
【０００９】
また特許文献２開示技術は、駆動機とそれにより駆動される伸縮機構を備えるという装置であり、コストが高く高価となり、構造が複雑なため保守管理の必要性も高くなり、また重量も重くなり、実用性が極めて低い。また特許文献３開示技術は、構造が複雑なだけでなく操作方法も単純ではなく、しかも結局排雪時には持ち手を直立させるまでに上げる動作が必要となり、排雪時の労力を軽減できるものではない。
【００１０】
ここに言及しなかったその他幾多の除雪ダンプ先行技術を確認したが、結局、実用性高く排雪時の作業労力を軽減できるものは、全く見当たらなかった。そこで本願が解決しようとする課題は、かかる従来技術の問題点を解消し、除雪作業時における排雪手順を作業性よく容易に行うことができ、排雪時の労力を軽減できる、便利で実用性に優れた除雪用ダンプを提供することである。
【００１１】
また本発明の課題は、コスト低減できて安価で提供でき、構造が簡素なため保守管理の必要性も低く、また重量も軽く、操作方法も簡単な、実用性に優れた除雪用ダンプを提供することである。さらに本発明の課題は、積雪のある路面における円滑な移動を行うことができ、積載した雪が零れ落ちやすいという問題が発生せず、作業効率がよく、バケットを含め全体のバランス・安定性がよく、不意にバケットが動作するようなこともなくて安全な、実用性に優れた除雪用ダンプを提供することである。
【課題を解決するための手段】
【００１２】
上記課題について検討した結果、本願発明者は、除雪用ダンプのバケット下方に所定の基部を設け、これにレバーの枢支部を立設する構成を基礎として課題を解決できることに想到し、これを基礎として本発明の完成に至った。すなわち、上記課題を解決するための手段として本願で特許請求される発明、もしくは少なくとも開示される発明は、以下のとおりである。
【００１３】
〔１〕  基部と、該基部に前端部が枢支されたバケットと、後記レバーを枢支するために該基部に設けられたレバー枢支部と、該レバー枢支部に枢支されたレバーと、該バケットに設けられた揺動端部と、該レバーの前端部−該揺動端部間を連結するリンクとを備えてなる、除雪用ダンプ。
〔２〕  前記レバー操作時に、前記揺動端部に対する前記リンクの揺動を少なくとも一部範囲において抑止可能なストッパが前記バケットに設けられていることを特徴とする、〔１〕に記載の除雪用ダンプ。
〔３〕  前記基部は雪上を滑走可能な滑走体であることを特徴とする、〔１〕または〔２〕に記載の除雪用ダンプ。
【００１４】
〔４〕  前記滑走体は前記バケットの両側に枢支された一対の棒状滑走体であることを特徴とする、〔３〕に記載の除雪用ダンプ。
〔５〕  前記滑走体は前記バケットの両側に枢支された一対の板状滑走体であることを特徴とする、〔３〕に記載の除雪用ダンプ。
〔６〕  前記揺動端部は、前記バケット上縁の前端から７５％長の位置またはそれよりも後端側において、該バケットの側面に設けられていることを特徴とする、〔１〕ないし〔５〕のいずれかに記載の除雪用ダンプ。
〔７〕  前記基部は前記バケット底部の長さ以上の長さに形成されており、前記レバー枢支部は該バケット底部の前端から８０％長の位置またはそれよりも後端側に設けられていることを特徴とする、〔１〕ないし〔６〕のいずれかに記載の除雪用ダンプ。
【００１５】
〔８〕  前記リンクまたはレバーの少なくとも一方が弧状に形成されていることを特徴とする、〔１〕ないし〔７〕のいずれかに記載の除雪用ダンプ。
〔９〕  前記基部は前記レバー枢支部設置箇所より後方に延長した延長部をもって形成されており、これにより、前記レバー操作の際の該基部前端部の持ち上がりを規制可能であることを特徴とする、〔１〕ないし〔８〕のいずれかに記載の除雪用ダンプ。
〔１０〕  前記レバー枢支部は前記基部の上方に位置して設けられているを特徴とする、〔１〕ないし〔９〕のいずれかに記載の除雪用ダンプ。
〔１１〕  前記延長部は回動可能な屈曲部を有しており、該屈曲部を回動させることで前記レバーの下端部に当接し、これにより該レバーの押し下げを抑止可能であることを特徴とする、〔９〕に記載の除雪用ダンプ。
〔１２〕  両側に設けられた各前記延長部の後端同士は連結部により連結されていることを特徴とする、〔９〕または〔１１〕に記載の除雪用ダンプ。
【発明の効果】
【００１６】
本発明の除雪用ダンプは上述のように構成されるため、これによれば、除雪作業時における排雪手順を作業性よく容易に行うことができ、排雪時の労力を軽減することができる。また、コスト低減できて安価で提供することができ、構造が簡素なため保守管理の必要性も低く、また重量も軽く、操作方法も簡単である。さらに本発明の除雪用ダンプは、積雪のある路面において円滑な移動を行うことができ、積載した雪が零れ落ちやすいという問題が発生せず、作業効率がよく、バケットを含め全体のバランス・安定性がよく、不意にバケットが動作するようなことなどもなく安全である。
【００１７】
また、上述した特許文献１開示技術における各問題点について、それぞれ下記のとおり解決される。
１）車輪により移動が困難となること：本発明の除雪用ダンプ滑走しやすいバケット底面が直接積雪路面に接する構造であり、また基部も滑走体とする構成にできるため、移動は円滑に行える。
２）バケット底部の傾斜による積載した雪の零れ落ちやすさ：バケット底部を傾斜させる必要がないため、かかる問題は発生しない。
【００１８】
３）バケットの不安定性とそれによる危険性：本発明の除雪用ダンプは、排雪時以外は地面（積雪路面）にバケット底面が接地している安定した姿勢をとるため、かかる問題は発生しない。
４）リンクの機能不全：本発明の除雪用ダンプでは、ストッパ、揺動端部位置、基部の長さ、延長部、リンク等の弧状形状といった特徴的構成によりリンクが円滑に動作し、バケットの押し上げが全く問題なく円滑になされる。
【００１９】
また本発明の除雪用ダンプは、特許文献２、３開示技術の各問題点をも解消する。すなわち本発明の除雪用ダンプは、コスト低減できるため安価に提供でき、また構造が簡素なため保守管理の必要性もほとんどなく、重量も軽く、操作方法も簡単で、排雪時の労力を相当軽減でき、便利で実用性に優れたものである。
【図面の簡単な説明】
【００２０】
【図１】本発明の除雪用ダンプの基本構成を示す側面視の説明図である。
【図２Ａ】本発明除雪用ダンプの一例についてその排雪動作過程を示す側面視の説明図である（通常時）。
【図２Ｂ】本発明除雪用ダンプの一例についてその排雪動作過程を示す側面視の説明図である（レバー押し下げ動作中）。
【図２Ｃ】本発明除雪用ダンプの一例についてその排雪動作過程を示す側面視の説明図である（レバー押し下げ動作中）。
【図２Ｄ】本発明除雪用ダンプの一例についてその排雪動作過程を示す側面視の説明図である（レバー押し下げ時）。
【図３Ａ】本発明除雪用ダンプの別の例についてその排雪動作過程を示す側面視の説明図である（通常時）。
【図３Ｂ】本発明除雪用ダンプの別の例についてその排雪動作過程を示す側面視の説明図である（レバー押し下げ動作中）。
【図２Ｃ】本発明除雪用ダンプの別の例についてその排雪動作過程を示す側面視の説明図である（レバー押し下げ動作中）。
【図３Ｄ】本発明除雪用ダンプの別の例についてその排雪動作過程を示す側面視の説明図である（レバー押し下げ時）。
【図４】延長部が回動する本発明除雪用ダンプの例について示す側面視の説明図である。
【図５Ａ】延長部が回動する本発明除雪用ダンプの別の例についてレバー固定時の状態を示す側面視の説明図である。
【図５Ｂ】延長部が回動する本発明除雪用ダンプの別の例についてレバー解放時の状態を示す側面視の説明図である。
【図６Ａ】本発明の実施例についてその通常時の状態を示す写真である。
【図６Ｂ】本発明の実施例について排雪動作時の状態を示す写真である。
【発明を実施するための形態】
【００２１】
本発明について、図面を用いて詳細に説明する。
図１は、本発明の除雪用ダンプの基本構成を示す側面視の説明図である。図示するように本除雪用ダンプ１０は、基部１と、基部１に前端部が枢支されたバケット２と、レバー４を枢支するために基部１に設けられたレバー枢支部３と、レバー枢支部３に枢支されたレバー４と、バケット２に設けられた揺動端部５と、レバー４の前端部−揺動端部５間を連結するリンク６とを備えていることを、主たる構成とする。なおレバー枢支部３は、基部１の上方に位置して設けられた構成となる。
【００２２】
かかる構成により本除雪用ダンプ１０では、通常時はレバー４が手押しに適した最も高い位置にあると同時にバケット２はその底面が接地するよう最も低い位置にあって、かかる姿勢により前方（バケット２先端部の方向）に移動せしめられることによって、地面上に積もった雪がバケット２内に掬い取られ、積載され、すなわち除雪がなされる（以上、図示せず）。そして積載した雪を排雪する際は、レバー４が使用者によって押し下げられて図示する姿勢となる。
【００２３】
つまり、レバー枢支部３に枢支されたレバー４の押し下げ動作により、リンク６の持ち上がり動作が発生し、これによってリンク６の連結先であるところの揺動端部５の持ち上がりが発生し、バケット２の揺動端部５設置箇所がバケット２先端部の枢支部２９を中心（支点）として回動（揺動）し、バケット２の後方部が持ち上がる。これにより、バケット２内に積載されていた雪は、前方へと排出される。すなわち、排雪手順を行いたい場合は、使用者がレバー４を下方に押し下げるだけで簡単に行うことができる。
【００２４】
以下、レバーが押し下げられる過程を示す図を用いて、改めて説明する。
図２Ａ〜２Ｄは、本発明除雪用ダンプの一例についてその排雪動作過程を示す側面視の説明図である。順に、通常時（図２Ａ）、レバー押し下げ動作中（図２Ｂ、２Ｃ）、レバー押し下げ時（図２Ｄ）の状態を示す。これらに図示するように本除雪用ダンプ２１０は、通常の雪掬い時は図２Ａのように従来の除雪用ダンプと同等の姿勢で用いられる。なお、基部２１の上にバケット２２があるのではなく、図示するようにバケット２２の両側に基部２１が設けられ、バケット２２の底面も基部２１の下面も設置する構造であり、安定であると同時に積雪路面での走行を円滑に行える。
【００２５】
バケット２２に積載された雪（図示せず）を排雪する場合、図２Ｂ〜２Ｃに示すように、レバー枢支部２３に枢支されたレバー２４が使用者（図示せず）の操作によって下方に押し下げられる。このとき、バケット２２の側方部にストッパ２８を備えた構成とすることによって、揺動端部２５に対する記リンク２６の揺動が少なくとも一部範囲において抑止される（図２Ｂ）。
【００２６】
つまり、ストッパ２８がない場合にはリンク２６自体の揺動端部２５を支点（中心）とする揺動（回動）が発生し得、レバー２４による力が揺動端部２５およびバケット２２に対して伝わらない状況が発生し得るが、ストッパ２８を設けることによってこれを有効に防止することができ、揺動端部２５はバケット２２先端部の枢支部２９を支点（中心）として揺動（回動）し、バケット２２の後部持ち上げ動作が円滑になされる。
【００２７】
ある程度バケット２２の持ち上げ動作がなされた後は、リンク２６はストッパ２８による規制を外れ、揺動端部２５を支点（中心）として揺動（回動）し、これに伴ってバケット２２の後部持ち上げ動作がさらになされていく（図２Ｃ）。
【００２８】
このようにしてレバー２４が押し下げ限界に向かって押し下げられていくことで、図２Ｄのようにバケット２２の後部は最高位置に向かって押し上げられ、これに伴いバケット２２に傾斜がついて、積載した雪が排出される。つまり、排雪手順においてはレバー２４を押し下げていくという単純な操作を行うだけで、バケット２２内の雪を容易に排出することができる。
【００２９】
本発明除雪用ダンプ２１０の基部２１は、雪上を滑走可能な滑走体として構成する。具体的には、バケット２２の両側に枢支された一対の棒状滑走体、あるいはスキー板のような板状滑走体とすることができる。棒状の場合、形状が直線状か曲線状かなど、また、サイズ、材質その他の仕様は特に限定されない。要するに雪上を円滑に滑走可能な仕様であればよい。板状の場合も同様である。
【００３０】
後掲図も含む各図に示すように、本発明除雪用ダンプ２１０のリンク２６またはレバー２４のうち少なくとも一方は、適宜の弧状に形成されたものとすることができる。かかる形状とすることによって本除雪用ダンプ２１０によれば、リンク機構上での力の伝動において、直行する箇所や対向する箇所が発生せず、レバー２４における入力後の力のベクトルが常に移動し、円滑な動作を得ることができる。
【００３１】
また本発明除雪用ダンプ２１０の基部２１は、レバー枢支部２３設置箇所より後方に延長した延長部２７をもって形成されたものとすることができる。かかる構成により、レバー２４操作の際の基部２１前端部の持ち上がりを有効かつ確実に規制して、バケット２２の先端部持ち上がりの発生を確実に防止し、バケット２２の後部の持ち上がり動作をより円滑になさしめることができる。
【００３２】
図３Ａ〜３Ｄは、本発明除雪用ダンプの別の例についてその排雪動作過程を示す側面視の説明図である。順に、通常時（図３Ａ）、レバー押し下げ動作中（図３Ｂ、３Ｃ）、レバー押し下げ時（図３Ｄ）の状態を示す。これらの図に示した例以外の例も含め、本発明除雪用ダンプ３１０は、その揺動端部３５を、バケット３２上縁の前端から７５％長の位置またはそれよりも後端側において、バケット３２の側面に設けた構成とすることができる。
【００３３】
あるいはまた、基部３１をバケット３２底部の長さ以上の長さに形成するとともに、レバー枢支部３３をバケット３２底部の前端から８０％長の位置またはそれよりも後端側に設けた構成とすることもできる。このような仕様の各構成要素の設置位置は、所期の目的とする動作がより円滑かつ良好になされる一例であり、本発明がこれに限定されるものではない。
【００３４】
図４は、延長部が回動する本発明除雪用ダンプの例について示す側面視の説明図である。図示するように本発明の除雪用ダンプ２４１０は、延長部２４７が回動可能な屈曲部を有しており、該屈曲部を回動させる（Ｓ）ことでこれをレバー２４４の下端部に当接させ、これにより該レバー２４４の押し下げを抑止可能な構成とすることができる。なお、延長部２４７は本図に示すように、その全体が屈曲する屈曲部として構成されるものとしても、また後掲図４Ｂのように延長部の一部が屈曲する屈曲部となっている構成であってもよい。
【００３５】
図示するように、延長部（ここでは、屈曲部と同じ）２４７を回動させた状態（跳ね上げた状態）のときには、レバー２４４の下端部に延長部２４７が当接することで、レバー２４４の動きが制御され、これに伴い本除雪用ダンプ２４１０の全ての可動部は固定された状態となり、図示する姿勢を保持した一体化の状態となる。本除雪用ダンプ２４１０を運搬する際や、地面と平行に推し進めて雪掻き（雪掬い）手順を行う際には、かかるレバー２４４等の固定状態（一体化状態）で使用すれば、方向転換や先端部を持ち上げての移動も楽に行うことができ、便利である。
【００３６】
一方、図において、延長部２４７を下げて接地させた状態（Ｔ）とすることによって、レバー２４４は解放状態となり、その押し下げ操作が可能となり、リンク２４６その他可動部の全てが解放され回動（揺動）可能な状態となり、既に述べた各動作、作用が可能となる。もちろん、バケット２４２先端部の持ち上がりを抑制することができる。
【００３７】
なお、屈曲部がとるべき２つの位置、すなわちレバー固定位置（Ｓ）とレバー解放位置（またはレバー操作用位置）（Ｔ）においてはいずれも、安定した固定状態が保持される必要がある。そこで延長部２４７の屈曲部には、たとえば使用者の足先による操作など簡単な操作によって固定と解除を調節できる手段を設けることとする。これには、たとえばラチェットギアなど従来公知の適宜の手段を用いることができる（例．特許１６３４２６３号開示技術）。
【００３８】
図５Ａは、延長部が回動する本発明除雪用ダンプの別の例についてレバー固定時の状態を示す側面視の説明図である。また、
図５Ｂは延長部が回動する本発明除雪用ダンプの別の例についてレバー解放時の状態を示す側面視の説明図である。これらに図示するように本除雪用ダンプ２５１０は、延長部２５７の一部を屈曲部２５７Ｒとする構成をとることもできる。
【００３９】
なお本発明の除雪用ダンプにおいては、両側に設けられた各延長部の後端同士を連結する連結部（図示せず）を設けた構成とすることができる。図４等で示した屈曲部を備える場合の除雪用ダンプにおいて、かかる連結部を設けることととすれば、レバー固定位置（図４の（Ｓ））−レバー解放位置（図４の（Ｔ））の切り替え操作を行うためのものとして当該連結部を構成することもできる。
【実施例】
【００４０】
本発明の実施例（試作品）を説明するが、本発明はかかる実施例に限定されるものではない。
図６Ａは、本発明の実施例についてその通常時の状態を示す写真である。また、
図６Ｂは、本発明の実施例について排雪動作時の状態を示す写真である。試作した実施例は、図示するように実に簡素な構造である。これを用いて実際に除雪・排雪作業を行ったところ、雪掬い作業も、また積載した雪を排雪する作業も円滑に行うことができた。特に排雪手順では、レバー４４をただ押し下げる操作を行うだけで、簡単に排雪することができ、本発明の優れた実用性を確認することができた。
【産業上の利用可能性】
【００４１】
本発明の除雪用ダンプはによれば、除雪作業時における排雪手順を作業性よく容易に行うことができ、排雪時の労力を相当軽減することができる。また、コスト低減できて安価で提供することができ、操作方法も簡単であるなど、極めて実用性に優れている。したがって、全ての関連する産業分野において利用性が高い発明である。
【符号の説明】
【００４２】
１、２１、３１、４１、２４１、２５１…基部
２、２２、３２、４２、２４２、２５２…バケット
３、２３、３３、４３、２４３、２５３…レバー枢支部
４、２４、３４、４４、２４４、２５４…レバー
５、２５、３５、４５、２４５、２５５…揺動端部
６、２６、３６、４６、２４６、２５６…リンク
７、２７、３７、４７、２４７、２５７…延長部
２５７Ｂ…延長部中の不動部
２５７Ｃ…回動軸部
２５７Ｒ…屈曲部
８、２８、３８、４８、２４８、２５８…ストッパ
９、２９、３９、４９、２４９、２５９…バケット先端部の枢支部
１０、２１０、３１０、４１０、２４１０２５１０…除雪用ダンプ
Ｓ…レバー固定位置
Ｔ…レバー解放位置（レバー操作用位置）
【図１】
2014015775.tif 000003
【図２Ａ】
2014015775.tif 000004
【図２Ｂ】
2014015775.tif 000005
【図２Ｃ】
2014015775.tif 000006
【図２Ｄ】
2014015775.tif 000007
【図３Ａ】
2014015775.tif 000008
【図３Ｂ】
2014015775.tif 000009
【図３Ｃ】
2014015775.tif 000010
【図３Ｄ】
2014015775.tif 000011
【図４】
2014015775.tif 000012
【図５Ａ】
2014015775.tif 000013
【図５Ｂ】
2014015775.tif 000014
【図６Ａ】
2014015775.tif 000015
【図６Ｂ】
2014015775.tif 000016
【手続補正書】
【提出日】平成24年7月13日(2012.7.13)
【手続補正１】
【補正対象書類名】明細書
【補正対象項目名】００２０
【補正方法】変更
【補正の内容】
【００２０】
【図１】本発明の除雪用ダンプの基本構成を示す側面視の説明図である。
【図２Ａ】本発明除雪用ダンプの一例についてその排雪動作過程を示す側面視の説明図である（通常時）。
【図２Ｂ】本発明除雪用ダンプの一例についてその排雪動作過程を示す側面視の説明図である（レバー押し下げ動作中）。
【図２Ｃ】本発明除雪用ダンプの一例についてその排雪動作過程を示す側面視の説明図である（レバー押し下げ動作中）。
【図２Ｄ】本発明除雪用ダンプの一例についてその排雪動作過程を示す側面視の説明図である（レバー押し下げ時）。
【図３Ａ】本発明除雪用ダンプの別の例についてその排雪動作過程を示す側面視の説明図である（通常時）。
【図３Ｂ】本発明除雪用ダンプの別の例についてその排雪動作過程を示す側面視の説明図である（レバー押し下げ動作中）。
【図３Ｃ】本発明除雪用ダンプの別の例についてその排雪動作過程を示す側面視の説明図である（レバー押し下げ動作中）。
【図３Ｄ】本発明除雪用ダンプの別の例についてその排雪動作過程を示す側面視の説明図である（レバー押し下げ時）。
【図４】延長部が回動する本発明除雪用ダンプの例について示す側面視の説明図である。
【図５Ａ】延長部が回動する本発明除雪用ダンプの別の例についてレバー固定時の状態を示す側面視の説明図である。
【図５Ｂ】延長部が回動する本発明除雪用ダンプの別の例についてレバー解放時の状態を示す側面視の説明図である。
【図６Ａ】本発明の実施例についてその通常時の状態を示す写真である。
【図６Ｂ】本発明の実施例について排雪動作時の状態を示す写真である。